【誤訳訂正書】
【提出日】平成26年12月10日(2014.12.10)
【誤訳訂正１】
【訂正対象書類名】特許請求の範囲
【訂正対象項目名】全文
【訂正方法】変更
【訂正の内容】
【特許請求の範囲】
【請求項１】
パワーモジュールと、駆動部と、タッチ信号変換部と、マイクロ制御部と、を具備して、
前記パワーモジュールがパルス幅変調信号で制御される前記駆動部に給電し、前記駆動部がランプに給電すると共に、前記パワーモジュールが前記タッチ信号変換部及び前記マイクロ制御部に給電し、
前記タッチ信号変換部がタッチセンサ式キーボードの各センサキーが提供するスイッチオンオフ及び明るさのレベルのセンサー信号を受信し、且つ前記マイクロ制御部が、前記タッチ信号変換部が提供する制御電位信号を解析し、前記駆動部へ前記タッチ信号変換部が提供する制御電位信号に対応する前記パルス幅変調信号を送信することによって前記駆動部が前記ランプに給電しないよう制御し、或いは規定のレベルの有効電流を前記ランプに給電するよう制御し、
さらに、前記駆動部から前記ランプに給電する経路に感熱抵抗が挿入されること、を特徴とする調光可能なランプユニット。
【請求項２】
さらに、レベル表示部を具備して、前記パワーモジュールが前記レベル表示部に給電し、前記マイクロ制御部が前記レベル表示部に現在のレベル制御信号を送信し、前記レベル表示部の対応するインジケータが点灯されることを特徴とする請求項１に記載の調光可能なランプユニット。
【請求項３】
前記タッチ信号変換部が静電容量式タッチセンサ集積回路モジュールで構成されていることを特徴とする請求項１或いは請求項２に記載の調光可能なランプユニット。
【請求項４】
前記ランプが発光ダイオードライトで構成されていることを特徴とする請求項１或いは請求項２に記載の調光可能なランプユニット。
【請求項５】
パワーモジュールがパルス幅変調信号で制御される駆動部に給電し、前記駆動部が感熱抵抗を介してランプに給電すると共に、前記パワーモジュールがタッチ信号変換部及びマイクロ制御部に給電して、
前記タッチ信号変換部がタッチセンサ式キーボードの各センサキーが提供するオン、オフ、又は明るさのレベルのセンサー信号を受信し、且つ前記マイクロ制御部が、前記タッチ信号変換部から提供される制御電位信号を解析し、前記駆動部へ対応する前記パルス幅変調信号を送信することによって、前記駆動部が前記ランプに給電しないよう制御し、或いは規定のレベルの有効電流を前記ランプに給電すること、を特徴とするランプユニットの調光方法。
【請求項６】
前記ランプに給電された状態で、省電力モードに入り、断続的に前記マイクロ制御部が起動されることを特徴とする請求項５に記載のランプユニットの調光方法。
【請求項７】
前記マイクロ制御部が自身の各検出入力端の入力を検出してタッチ信号があるかどうかを検出し、前記駆動部へ対応するパルス幅変調信号を送信することによって、前記駆動部が前記ランプに給電しないよう制御する、或いは規定のレベルの有効電流をメインランプに給電することを特徴とする請求項６に記載のランプユニットの調光方法。
【請求項８】
前記マイクロ制御部がレベル表示部に現在のレベル制御信号を送信し、前記レベル表示部の対応するインジケータが点灯されることを特徴とする請求項７に記載のランプユニットの調光方法。
【誤訳訂正２】
【訂正対象書類名】明細書
【訂正対象項目名】全文
【訂正方法】変更
【訂正の内容】
【発明の詳細な説明】
【発明の名称】調光可能なランプユニットおよびランプユニットの調光方法
【技術分野】
【０００１】
本発明は照明ランプユニットに関し、特に発光ダイオード「ＬＥＤ」の照明ランプユニットに関する。
【背景技術】
【０００２】
現有の白熱灯のランプユニットはみんな電圧を調整する方式によって調光の目的に到達される。しかし、発光ダイオード「ＬＥＤ」を使うランプユニットに対して、電圧を調整する方式によって調光の目的として適用されない。だから、業界において、発光ダイオードライトに給電する直流のパルスデューティ比を調整してみて、発光ダイオードライトに給電する有効電流を変わって調光の目的に到達される。例えば、中国特許権説明書ＣＮ２０１１１４９６２Ｙで公開される特許番号ＺＬ２００７２００７５２２７．８、名称「タッチスイッチ調光装置」の技術方案では、スイッチ部のパワーモジュールがタッチ信号モジュール及びスイッチ出力モジュールに給電され、タッチ信号制御モジュールにタッチセンサーキーから入力するモジュールの操作信号が受信されてから制御スイッチ出力モジュールが主電源に接続されて且つ調光部のパワーモジュールの電気に接続され、調光部のパワーモジュールが調光モジュール及び調光出力回路「駆動部」に給電され、調光モジュールにつまみ入力モジュールの操作信号が受信されてから、調光モジュールが制御され、出力矩形波のパルス幅が変更されて、調光出力回路が発光ダイオードライトに給電される脈動直流電流のデューティ比が変更されて調光の目的に到達されることを提出している。しかし、当技術方案には以下の不足を有する。第一に、タッチスイッチとノブで共同にコントロールが実現されるために、操作の便利性が悪い。第二に、スイッチ部のパワーモジュール及びスイッチ出力モジュール及び調光部のパワーモジュールによって内部の電源の給電システムが構成されて、構造が複雑で、且つスイッチ出力モジュールがリレーに使えるので、寿命と信頼性が限られた。それで、ハイエンドの家庭やサービスの多様にはあまり適していない。
【発明の概要】
【発明が解決しようとする課題】
【０００３】
本発明は便利な操作及び簡単な、高信頼度の構造を具備する調光可能なランプユニットを提供することを目指している。
【課題を解決するための手段】
【０００４】
本発明の技術方案では、パワーモジュールがパルス幅変調信号から制御させる駆動部に給電され、当駆動部が主なランプに給電されて、パワーモジュールがタッチ信号変換部及びマイクロ制御部に給電されて、タッチ信号変換部にタッチセンサー式キーボードの各センサキーから提供するスイッチ及びレベルのセンサー信号を受信させ、且つ対応する制御電位信号を変換してマイクロ制御部に送信されて、タッチ信号変換部から提供する制御電位信号がマイクロ制御部に解析させ、駆動部へ対応するパルス幅変調信号を送信することによって駆動部から主なランプに給電しないよう制御されて或いは規定でのレベルの有効電流を主なランプに給電されることによって構成される調光可能なランプユニット。人の指でタッチセンサー式キーボードのあるセンサーキーに接触すると、タッチ信号変更部は対応する信号をマイクロ制御部へ送信している。マイクロ制御部から駆動部を制御させることによって主なランプのスイッチ動作と調光動作が制御される。
【０００５】
特に、前記パワーモジュールがレベル表示部に給電され、マイクロ制御部からレベル表示部に現在のレベル制御信号が送信され、レベル表示部に対応するインジケータが点灯される。使用者はレベル表示部の各指示ランプを観察することによって直感的に現在のレベルの状況が了解されて、更に主なランプの明るさを調整するかどうかのが確定される。
【０００６】
優先的に実施する構造の中には、前記タッチ信号変換部が静電容量式タッチセンサ集積回路モジュールに設けられる。静電容量式タッチセンサ集積回路モジュールとタッチセンサー式キーボードの各センサキー及びマイクロ制御部との接続コードが簡単に連結されるので、組立に便利し、その使用寿命が長く且つ信頼性がよい。
【０００７】
特に、前記主なランプが発光ダイオードライトに設けられる。パルス幅変調された有効電流の給電方式が発光ダイオードライトの仕事特性に対して最適に適用されて、発光ダイオードライトの潜在的な能力が十分に発揮される。
【０００８】
本発明の調光可能なランプユニットには、一個のパワーモジュールが各部に給電されて、タッチ信号変換部にタッチセンサー式キーボードの各センサキーから提供するスイッチオンオフ及び明るさのレベルのセンサー信号を受信させ、且つ対応する制御電位信号を変換してマイクロ制御部に送信されて、タッチ信号変換部から提供する制御電位信号をマイクロ制御部に解析させ、駆動部へ対応するパルス幅変調信号を送信することによって駆動部からパルス幅変調ランプに給電する状態が制御されることによって構成される。その構造が簡単にはっきり見えて、各部の機能が明確されて、容易に集積回路モジュールを採用して実施されるので、使用寿命と信頼性を向上させるのに役立つ。特にタッチセンサー式キーボードが採用されるので、スイッチの主なランプの総合的処理機能及び主なランプの明るさ調整機能を具備して、使用者は指で各センサーキーに滑り接触または接触すると、相応的な制御を早速に完成して且つ滑らかな操作インターフェースに到達される。
【図面の簡単な説明】
【０００９】
【図１】本発明の調光可能なランプユニットの１つ実施する電気回路ブロックを示す図である。
【図２】図１に実施する駆動部の電気回路構造を示す図である。
【図３】図１に実施するタッチセンサー式キーボードとタッチ信号変換部とマイクロ制御部との回路連結関係を示す図である。
【図４】図１に実施するレベル表示部の電気回路構造を示す図である。
【図５】図１に実施するマイクロ制御部の制御フローを示す図である。
【発明を実施するための形態】
【００１０】
本発明の調光可能なランプユニットを１つ実施する電気回路ブロックは図１のように示す。当調光可能なランプユニットが一個のスタンドに構成される。当スタンドの殻体の内に１つの電気回路基板が設けられ、当電気回路基板に１つのパワーモジュール１と、１つの駆動部２と、１つのタッチ信号変換部５と、１つのマイクロ制御部６が設けられる。殻体のパネルの上にタッチセンサー式キーボード４とレベル表示部７が設けられる。
【００１１】
パワーモジュール１に交流変圧回路と整流回路とフィルタ回路とを具備し、交流電源「ＡＣ」が両路の直流出力ＶＩＮ、ＶＣＣに変換されて、第一直流出力ＶＩＮが駆動部２に給電され、第二直流出力ＶＣＣがタッチ信号変換部５とマイクロ制御部６とレベル表示部７に給電される。
【００１２】
駆動部２の電気回路の構造は図２のように示す。駆動部２の電源入力端即ち感熱抵抗ＲＰ１の前端がパワーモジュール１の第一直流出力ＶＩＮにつなげる。感熱抵抗ＲＰ１の後端が電流制限抵抗Ｒ１に直列連接されてから発光ダイオードから構成される主なランプ３の１つの電源端につなげる。もちろん、主なランプ３が白熱灯のランプも使える。駆動部２の制御入力端即ちバイアス抵抗Ｒ３と電流制限抵抗Ｒ２との連接点がマイクロ制御部６のパルス幅変調信号の出力端ＰＷＭにつなげる。バイアス抵抗Ｒ３のもう一端がアースにつなげる。電流制限抵抗Ｒ２のもう一端が電界効果スイッチ管Ｑ１のゲートＧにつなげる。電界効果スイッチ管Ｑ１のソース電極がアースにつなげ、ドレイン電極が発光ダイオードの主なランプ３のもう１つの電源端につなげる。本実施している電界効果スイッチ管Ｑ１のタイプナンバーがＳ２３０６に採用される。
【００１３】
図３を参照する。
【００１４】
タッチセンサー式キーボード４に５つのセンサーキー即ちＬ１、Ｌ２、Ｌ３、Ｌ４、Ｌ５を具備する。タッチセンサー式キーボード４の各センサーキーＬ１、Ｌ２、Ｌ３、Ｌ４、Ｌ５が別々両層の絶縁材の間に互いに隔離させる銅箔シートに設置され、各相隣の２つのセンサーキーが１つのコンデンサーに構成される。各センサーキーＬ１、Ｌ２、Ｌ３、Ｌ４、Ｌ５のリード線が分別にタッチ信号変換部５の対応される信号入力端に連接される。
【００１５】
本実施されるタッチ信号変換部５がアルファ平和有限会社「ａｌｐｈａ ｐａｃｉｆｉｃ Ｔｅｃｈｎｏｌｏｇｉｅｓ Ｃｏ．，Ｌｔｄ」で作ったタイプナンバーａｐ３０１８ＤＮの静電容量式タッチセンサ集積回路モジュールに採用される。タッチ信号変換部５の信号入力端即ちＩＮ３、ＩＮ４、ＩＮ５、ＩＮ６、ＩＮ７が別々順にセンサーキーＬ１、Ｌ２、Ｌ３、Ｌ４、Ｌ５に対応的接続される。タッチ信号変換部５上の各センサーキーＬ１、Ｌ２、Ｌ３、Ｌ４、Ｌ５の対応される変換出力端Ｑ３、Ｑ４、Ｑ５、Ｑ６、Ｑ７が分別にマイクロ制御部６の各検出入力端に対応的接続される。タッチ信号変換部５の各変換出力端Ｑ３、Ｑ４、Ｑ５、Ｑ６、Ｑ７と直流出力ＶＣＣとの間に別々抵抗Ｒ５０１とＲ５０２とＲ５０３とＲ５０４とＲ５０５が設けられる。
【００１６】
マイクロ制御部６が従来のマイクロプロセッサに構成され、本実施されるのがＳＮ８Ｐ２５０１に使える。当マイクロ制御部６の各検出入力端Ｐ２．２とＰ２．１とＰ２．０とＰ１．３とＰ１．１が別々順にタッチ信号変換部５の各変換出力端Ｑ３、Ｑ４、Ｑ５、Ｑ６、Ｑ７に接続される。マイクロ制御部６の各検出出力端Ｐ２．３とＰ２．４とＰ２．５とＰ０．０とＰ１．０とを別々順に第一レベル制御出力ＬＥＤ１と第二レベル制御出力ＬＥＤ２と第三レベル制御出力ＬＥＤ３と第四レベル制御出力ＬＥＤ４と第五レベル制御出力ＬＥＤ５としてレベル表示部７の各レベル制御入力端に対応的接続される。マイクロ制御部６の出力端Ｐ５．４をパルス幅変調信号の出力端ＰＷＭとして駆動部２の制御入力端に接続される。
【００１７】
レベル表示部７の電気回路は図４のように示す。レベル表示部７が５セットの発光ダイオードインジケータを有す。
【００１８】
第一セットの発光ダイオードインジケータがただ１つの発光ダイオードＤ１１を有し、当発光ダイオードＤ１１と電流制限抵抗Ｒ１１が電源モジュール１の第二直流出力ＶＣＣとマイクロ制御部６の第一レベル制御出力ＬＥＤ１との間に直列に接続される。
【００１９】
第二セットの発光ダイオードインジケータが２つの発光ダイオードＤ２１とＤ２２とを有す。トランジスタＱ２とバイアス抵抗Ｒ２１と電流制限抵抗Ｒ２２から第二セットの発光ダイオードインジケータの給電スイッチが構成される。トランジスタＱ２のエミッタがパワーモジュール１の第二直流出力ＶＣＣ及びバイアス抵抗Ｒ２１の一端に接続され、トランジスタＱ２のベースがバイアス抵抗Ｒ２１のもう一端と電流制限抵抗Ｒ２２の後端に接続される。マイクロ制御部６の第二レベル制御出力ＬＥＤ２が当給電スイッチの制御入力端即ち電流制限抵抗Ｒ２２の前端に接続される。トランジスタＱ２のコレクタが２つの発光ダイオードＤ２１とＤ２２の陽極に接続される。２つの発光ダイオードＤ２１とＤ２２の陰極が別別に自身の電流制限抵抗Ｒ２３とＲ２４によってアースに接続される。
【００２０】
第三セットの発光ダイオードインジケータが２つの発光ダイオードＤ３１とＤ３２とを有す。トランジスタＱ３とバイアス抵抗Ｒ３１と電流制限抵抗Ｒ３２から第三セットの発光ダイオードインジケータの給電スイッチが構成される。マイクロ制御部６の第三レベル制御出力ＬＥＤ３が当給電スイッチの制御入力端即ち電流制限抵抗Ｒ３２の前端に接続される。
【００２１】
第四セットの発光ダイオードインジケータが２つの発光ダイオードＤ４１とＤ４２とを有す。トランジスタＱ４とバイアス抵抗Ｒ４１と電流制限抵抗Ｒ４２から第四セットの発光ダイオードインジケータの給電スイッチが構成される。マイクロ制御部６の第四レベル制御出力ＬＥＤ４が当給電スイッチの制御入力端即ち電流制限抵抗Ｒ４２の前端に接続される。
【００２２】
第五セットの発光ダイオードインジケータが２つの発光ダイオードＤ５１とＤ５２とを有す。トランジスタＱ５とバイアス抵抗Ｒ５１と電流制限抵抗Ｒ５２から第五セットの発光ダイオードインジケータの給電スイッチが構成される。マイクロ制御部６の第五レベル制御出力ＬＥＤ５が当給電スイッチの制御入力端即ち電流制限抵抗Ｒ５２の前端に接続される。
【００２３】
本実施される作業プロセス中のマイクロ制御部６の制御流れは図５のように示す。
【００２４】
ステップ１０１には、スタンドに通電され、交流電源がパワーモジュール１に給電される。パワーモジュール１の第一直流出力ＶＩＮが駆動部２に給電され、第二直流出力ＶＣＣがタッチ信号変換部５とマイクロ制御部６とレベル表示部７に給電される。
【００２５】
ステップ１０２には、マイクロ制御部６が自身の各検出の入力端に検出され、タッチ信号かどうかが確認される。タッチセンサー式キーボード４の各センサーキーＬ１、Ｌ２、Ｌ３、Ｌ４、Ｌ５を指で滑り接触または押し接触の効果に影響させないと、即ちタッチ信号がない時、タッチ信号変換部５上の各センサーキーに対応する変換出力端と皆ハイレベルＶＣＣが出力される。何れかのセンサーキーを指で滑り接触または押し接触の効果に影響させると、即ちタッチ信号がある時、タッチ信号変換部５上の当センサーキーに対応する変換出力端が０ボルト「ＧＮＤ」に出力され、指を離してから、即ちタッチ信号を消しているとき、当タッチ信号変換部５上の当センサーキーに対応する変換出力端の出力がハイレベルＶＣＣに戻される。タッチ信号があれば、ステップ１０５に進んで、逆にステップ１０３が実行される。
【００２６】
ステップ１０３には、マイクロ制御部６が自身の１０秒間の遅延カウンタに検出され、もしカウンタの計数が１０秒間に達成してタッチ信号が無ければ、ステップ１０４が実行されて、もしカウンタの計数が１０秒間に達成しないと、ステップ１０２が実行され、続けてタッチ信号に待つ。
【００２７】
ステップ１０４には、省電力モードに入り、断続的にマイクロ制御部６が起動され、ステップ１０２が実行される。
【００２８】
ステップ１０５には、マイクロ制御部６が自身の最低位「センサーキーＬ１に対応する」の検出入力端に検出され、指で長い時間にセンサーキーＬ１を滑り接触してまたは押し接触するタッチ信号かどうかが確認される。接触があれば、ステップ１０６が実行され、なければステップ１０７に進む。
【００２９】
ステップ１０６には、マイクロ制御部６が自身のパワーステータスフラグメモリ部に検出される。若しパワーステータスフラグメモリ部がオンになっていない状態に位置すれば、当部がオンになる状態に直されて、第一「最低」レベル指示ステータスフラグメモリ部の状態が０「点灯」に設置され、他の各レベル指示ステータスフラグメモリ部の状態が０「点滅」に設置される。若しパワーステータスフラグメモリ部に保存されるのがオンになる状態に位置すれば、当部がオンになっていない状態に直されて、第一「最低」レベル指示ステータスフラグメモリ部の状態が１「点滅」に設置され、他の各レベル指示ステータスフラグメモリ部の状態が０「点滅」に設置される。ステップ１１８が実行される。
【００３０】
ステップ１０７には、マイクロ制御部６が自身のパワーステータスフラグメモリ部に検出される。若しパワーステータスフラグメモリ部に保存される状態がオンに位置すれば、ステップ１０８が実行されて、逆にステップ１０３に進む。
【００３１】
ステップ１０８には、マイクロ制御部６が自身の最低位「センサーキーＬ１に対応する」の検出入力端に検出され、指で短い時間にセンサーキーＬ１を滑り接触してまたは押し接触するタッチ信号かどうかが確認される。接触があれば、ステップ１０９が実行され、なければステップ１１０に進む。
【００３２】
ステップ１０９には、マイクロ制御部６が第一「最低」レベル指示ステータスフラグメモリ部の状態が０「点灯」に設置され、他の各レベル指示ステータスフラグメモリ部の状態が０「点滅」に設置される。ステップ１１８が実行される。
【００３３】
ステップ１１０には、マイクロ制御部６が自身の第二「センサーキーＬ２に対応する」の検出入力端に検出され、指でセンサーキーＬ２を滑り接触してまたは押し接触するタッチ信号かどうかが確認される。接触があれば、ステップ１１１が実行され、なければステップ１１２に進む。
【００３４】
ステップ１１１には、マイクロ制御部６が第一「最低」レベル指示ステータスフラグメモリ部の状態が０「点灯」に設置され、第二「次低」レベル指示ステータスフラグメモリ部の状態が１「点灯」に設置され、他の各レベル指示ステータスフラグメモリ部の状態が０「点滅」に設置される。ステップ１１８が実行される。
【００３５】
ステップ１１２には、マイクロ制御部６が自身の第三「センサーキーＬ３に対応する」の検出入力端に検出され、指でセンサーキーＬ３を滑り接触してまたは押し接触するタッチ信号かどうかが確認される。接触があれば、ステップ１１３が実行され、なければステップ１１４に進む。
【００３６】
ステップ１１３には、マイクロ制御部６が第一「最低」レベル指示ステータスフラグメモリ部の状態が０「点灯」に設置され、第二「次低」レベル指示ステータスフラグメモリ部の状態と第三「中間」レベル指示ステータスフラグメモリ部の状態が１「点灯」に設置され、他の各レベル指示ステータスフラグメモリ部の状態が０「点滅」に設置される。ステップ１１８が実行される。
【００３７】
ステップ１１４には、マイクロ制御部６が自身の第四「センサーキーＬ４に対応する」の検出入力端に検出され、指でセンサーキーＬ４を滑り接触してまたは押し接触するタッチ信号かどうかが確認される。接触があれば、ステップ１１５が実行され、なければステップ１１６に進む。
【００３８】
ステップ１１５には、マイクロ制御部６が第一「最低」レベル指示ステータスフラグメモリ部の状態が０「点灯」に設置され、第二「次低」レベル指示ステータスフラグメモリ部の状態と第三「中間」レベル指示ステータスフラグメモリ部の状態及び第四「次高」レベル指示ステータスフラグメモリ部の状態が１「点灯」に設置され、第五「最高」レベル指示ステータスフラグメモリ部の状態が０「点滅」に設置される。ステップ１１８が実行される。
【００３９】
ステップ１１６には、マイクロ制御部６が自身の第五「センサーキーＬ５に対応する」の検出入力端に検出され、指でセンサーキーＬ５を滑り接触してまたは押し接触するタッチ信号かどうかが確認される。接触があれば、ステップ１１７が実行され、なければステップ１０３に進む。
【００４０】
ステップ１１７には、マイクロ制御部６が第一「最低」レベル指示ステータスフラグメモリ部の状態が０「点灯」に設置され、他の各レベル指示ステータスフラグメモリ部の状態が１「点灯」に設置される。ステップ１１８が実行される。
【００４１】
ステップ１１８には、マイクロ制御部６が自身の各レベル指示ステータスフラグメモリ部のデータが対応するレベル制御出力によってレベル表示部７に送信され、即ちマイクロ制御部６からレベル表示部７に現行のレベル制御信号が送信され、レベル表示部７に対応する発光ダイオードインジケータが点灯される。ステップ１１９が実行される。
【００４２】
我々は第五レベル指示ステータスフラグメモリ部の状態が最高位に決められて、第一レベル指示ステータスフラグメモリ部の状態が最低位に決められる。本ステップの中に、若し各レベル指示ステータスフラグメモリ部のデータが「００００１」即ちオフの状態に位置すれば、五セットの発光ダイオードインジケータが皆点滅の状態に位置される。若し各レベル指示ステータスフラグメモリ部のデータが「０００００」即ち第一レベルの状態に位置すれば、第一セットの発光ダイオードインジケータが点灯され、他の四セットの発光ダイオードインジケータが皆点滅の状態に位置される。若し各レベル指示ステータスフラグメモリ部のデータが「０００００」即ち第一レベルの状態に位置すれば、第一セットの発光ダイオードインジケータが点灯され、他の四セットの発光ダイオードインジケータが皆点滅の状態に位置される。若し各レベル指示ステータスフラグメモリ部のデータが「０００１０」即ち第二レベルの状態に位置すれば、第一セットと第二セットの発光ダイオードインジケータが点灯され、他の三セットの発光ダイオードインジケータが点滅の状態に位置される。若し各レベル指示ステータスフラグメモリ部のデータが「００１１０」即ち第三レベルの状態に位置すれば、第一セットと第二セットと第三セットの発光ダイオードインジケータが点灯され、他の二セットの発光ダイオードインジケータが点滅の状態に位置される。若し各レベル指示ステータスフラグメモリ部のデータが「０１１１０」即ち第四レベルの状態に位置すれば、第一セットないし第四セットの発光ダイオードインジケータが点灯され、第五セットの発光ダイオードインジケータが点滅の状態に位置される。若し各レベル指示ステータスフラグメモリ部のデータが「１１１１０」即ち第五レベルの状態に位置すれば、５セットの発光ダイオードインジケータが皆点灯される。
【００４３】
ステップ１１９には、マイクロ制御部６が各レベル指示ステータスフラグメモリ部の状態データの代表レベルが対応的なパルス幅変調信号に変換されて、パルス幅変調信号の出力端ＰＷＭによって駆動部２に送信されて、駆動部２に発光ダイオードの主なランプ３の給電を切らせることが制御されてまたは規定での当レベルの有効な電流が発光ダイオードの主なランプ３に給電される。ステップ１０２が実行される。
【００４４】
本ステップの中に、若し各レベル指示ステータスフラグメモリ部のデータが「００００１」即ちオフの状態に位置すれば、マイクロ制御部６がパルス幅変調信号の出力端ＰＷＭによって駆動部２への安定な０ボルトレベルに送信されて、駆動部２が発光ダイオードの主なランプ３の給電に切断制御され、発光ダイオードの主なランプ３が発光されない。若し各レベル指示ステータスフラグメモリ部のデータが「０００００」即ち第一レベルの状態に位置すれば、マイクロ制御部６がパルス幅変調信号の出力端ＰＷＭによって駆動部２への０ボルトレベル時の最長パルス幅変調信号に送信されて、駆動部２が規定の第一レベルの有効電源で発光ダイオードの主なランプ３に給電されて、発光ダイオードの主なランプ３が最低の明るさで発光される。若し各レベル指示ステータスフラグメモリ部のデータが「０００１０」即ち第二レベルの状態に位置すれば、マイクロ制御部６がパルス幅変調信号の出力端ＰＷＭによって駆動部２への０ボルトレベル時の次長パルス幅変調信号に送信されて、駆動部２が規定の第二レベルの有効電源で発光ダイオードの主なランプ３に給電されて、発光ダイオードの主なランプ３が次低の明るさで発光される。若し各レベル指示ステータスフラグメモリ部のデータが「００１１０」即ち第三レベルの状態に位置すれば、マイクロ制御部６がパルス幅変調信号の出力端ＰＷＭによって駆動部２への０ボルトレベル時の中等長度パルス幅変調信号に送信されて、駆動部２が規定の第三レベルの有効電源で発光ダイオードの主なランプ３に給電されて、発光ダイオードの主なランプ３が中等の明るさで発光される。若し各レベル指示ステータスフラグメモリ部のデータが「０１１１０」即ち第四レベルの状態に位置すれば、マイクロ制御部６がパルス幅変調信号の出力端ＰＷＭによって駆動部２への０ボルトレベル時の最短パルス幅変調信号に送信されて、駆動部２が規定の第四レベルの有効電源で発光ダイオードの主なランプ３に給電されて、発光ダイオードの主なランプ３が次高の明るさで発光される。若し各レベル指示ステータスフラグメモリ部のデータが「１１１１０」即ち第五レベルの状態に位置すれば、マイクロ制御部６がパルス幅変調信号の出力端ＰＷＭによって駆動部２への安定な高レベルＶＣＣ信号に送信されて、駆動部２が規定の第五レベルの有効電源で発光ダイオードの主なランプ３に給電されて、発光ダイオードの主なランプ３が最高の明るさで発光される。
【００４５】
以上に述べたのは単なる本発明の具体的な実施の形態である。しかし、本発明の設計構想はこれだけに限定されず、この構想に基づいて本発明を非実質的に修正したとしても、皆本発明の保護範囲から逸脱しないはずである。
【産業上の利用可能性】
【００４６】
本発明の調光可能なランプユニットには、構造が簡単明瞭で、各部の機能が明確である、容易にＩＣモジュールを採用して実施されるので、使用寿命と信頼性を向上させるのに役立つ。特にタッチセンサー式キーボードが採用されるので、スイッチの主なランプの総合的処理機能及び主なランプの明るさ調整機能を具備して、使用者は指で各センサーキーに滑り接触または押し接触すると、相応的な制御を早速に完成して且つ滑らかな操作インターフェースに到達される。
【符号の説明】
【００４７】
１ パワーモジュール
２ 駆動部
３ 主なランプ
４ タッチセンサー式キーボード
５ タッチ信号変換部
６ マイクロ制御部
７ レベル指示